(57)【要約】      （修正有）【課題】室内に設置された書棚、箪笥等の家具、設備機器等が地震などにより転倒するのを防止する。【解決手段】家具１は、家具本体２と、上板７に略四角形をなすように配置され、メネジ部が上板７を貫通するように設けられた４つのナット１２と、ねじ込み操作により天井１４方向に対して進退される４本の取付ネジ１３と、下面１６に当接固定される基板１５と、基板１５と上板７との間に生じる間隙部１７の周囲の開口部の、前面開口部１８を遮蔽するよう、基板１５に立設した前面板１９とを備える。【選択図】図３
0003113455.tif 000002
【実用新案登録請求の範囲】
【請求項１】
家具本体と、
この家具本体の上板に略四角形をなすように配置され、メネジ部が前記上板を貫通す
るように設けられた少なくとも４つのナットと、
この各ナットにそれぞれねじ込まれ、ねじ込み操作により天井方向に対して進退され
る少なくとも４本の取付ネジと、
前記家具本体の前記上板と前記天井との間に介在され、前記取付ネジのねじ込み操作
により、この取付ネジを介して前記天井の下面に当接固定される基板と、
この基板が前記天井の下面に当接固定された状態において、前記基板と前記上板との
間に生じる間隙部の周囲の開口部の、少なくとも前面開口部を遮蔽するよう、前記基板に
立設した前面板とを備えてなることを特徴とする転倒防止装置付き家具。
【請求項２】
家具本体は、家具本体の左右の側板の上端をそれぞれ前記上板より上方に延出させ、
遮蔽部を設けると共に、前記基板の左右にそれぞれ側面板を立設させ、前記基板が前記天
井の下面に当接固定された状態において、前記基板と前記上板との間に生じる間隙部の周
囲の開口部の、左右の側面開口部を、前記各遮蔽部と前記各側面板とを互いに重ね合わせ
遮蔽するようにした請求項１記載の転倒防止装置付き家具。
【請求項３】
家具本体と、
この家具本体の底板に略四角形をなすように配置され、メネジ部が前記底板を貫通す
るように設けられた少なくとも４つのナットと、
この各ナットにそれぞれねじ込まれ、ねじ込み操作により前記家具本体の設置面の方
向に対して進退される少なくとも４本の取付ネジと、
前記家具本体の前記底板と前記設置面との間に介在され、前記取付ネジのねじ込み操
作により、この取付ネジを介して前記設置面に当接固定される基板と、
この基板が前記設置面に当接固定された状態において、前記基板と前記底板との間に
生じる間隙部の周囲の開口部の、少なくとも前面開口部を遮蔽するよう、前記基板に立設
した前面板とを備えてなることを特徴とする転倒防止装置付き家具。
【請求項４】
家具本体は、家具本体の左右の側板の下端をそれぞれ前記底板より下方に延出させ、
遮蔽部を設けると共に、前記基板の左右にそれぞれ側面板を立設させ、前記基板が前記設
置面に当接固定された状態において、前記基板と前記底板との間に生じる間隙部の周囲の
開口部の、左右の側面開口部を、前記各遮蔽部と前記各側面板とを互いに重ね合わせ遮蔽
するようにした請求項３記載の転倒防止装置付き家具。
【請求項５】
家具本体と、
この家具本体の上板に略四角形をなすように配置され、メネジ部が前記上板を貫通す
るように設けられた少なくとも４つのナットと、
この各ナットにそれぞれねじ込まれ、ねじ込み操作により天井方向に対して進退され
る少なくとも４本の取付ネジと、
前記家具本体の前記上板と前記天井との間に介在され、前記取付ネジのねじ込み操作
により、この取付ネジを介して前記天井の下面に当接固定される基板と、
前記家具本体の前記上板の前面部より上方に延出して設けられた前面遮蔽部と、
前記基板の前面に立設した前面側面板と、
前記基板が前記天井の下面に当接固定された状態において、前記基板と前記上板との
間に生じる間隙部の周囲の開口部の、少なくとも前面開口部を、前記前面遮蔽部と前記前
面側面板により遮蔽するようにすることを特徴とする転倒防止装置付き家具。
【請求項６】
家具本体と、
この家具本体の底板に略四角形をなすように配置され、メネジ部が前記底板を貫通す
るように設けられた少なくとも４つのナットと、
この各ナットにそれぞれねじ込まれ、ねじ込み操作により前記家具本体の設置面の方向に対して進退される少なくとも４本の取付ネジと、
前記家具本体の前記底板と前記設置面との間に介在され、前記取付ネジのねじ込み操作により、この取付ネジを介して前記設置面に当接固定される基板と、
前記家具本体の前記底板の前面部より下方に延出して設けられた前面遮蔽部と、
前記基板の前面に立設した前面側面板と、
前記基板が前記設置面に当接固定された状態において、前記基板と前記底板との間に生じる間隙部の周囲の開口部の、少なくとも前面開口部を、前記前面遮蔽部と前記前面側面板により遮蔽するようにすることを特徴とする転倒防止装置付き家具。
【請求項７】
基板は、前記４本の取付ネジに対応する位置に、前記取付ネジの端部を受け入れるネ
ジ受凹部を設けるようにした請求項１乃至請求項６記載の転倒防止装置付き家具。
【考案の詳細な説明】
【技術分野】
【０００１】
本考案は、室内に設置された書棚、箪笥等の家具、設備機器等が地震などにより転倒
するのを防止するための転倒防止装置を備えた転倒防止装置付き家具に関する。
【背景技術】
【０００２】
従来の家具等の転倒防止装置としては、ネジ機構、つまり、ナットにねじ込まれたネ
ジシャフトが直線運動をする機構を応用した転倒防止装置（例えば特許文献１参照）があ
る。この転倒防止装置は、家具の上面および天井の下面の各々一部に当接する各ベースに
１本のネジシャフトを固定し、このネジシャフトをナットにより進退させ家具を押圧し転
倒防止をするものである。
【０００３】
しかし、この転倒防止装置では、家具と天井の一部を１本のネジシャフトにより部分
的に押圧しているのみであるため、揺れが縦方向の地震では効果があるが、横方向の揺れ
に対しては、ぐらつき不安定となり充分な転倒防止ができなく、特に急激な横揺れを伴な
う地震では、転倒防止装置自体が外れてしまい、転倒防止を確実に行なえない欠点があっ
た。また転倒防止装置は、転倒防止装置のみの機能しかなく、この転倒防止装置を取り付
けた家具等の上面と天井との間の空間を、有効に活用することができない欠点があった。
【特許文献１】実用新案登録第３０２１１３６号  公報
【考案の開示】
【考案が解決しようとする課題】
【０００４】
本考案は、前記した問題点を解決するためになされたもので、縦揺れ、あるいは横揺
れを伴う地震などに対しても、家具等の転倒を防止できると共に、室内の限られた家具等
の設置空間をより有効に活用することもできるようにした転倒防止装置付き家具を提供す
ることを目的とする。
【課題を解決するための手段】
【０００５】
前記した問題を解決するための本考案の手段は、家具本体と、この家具本体の上板に
略四角形をなすように配置され、メネジ部が前記上板を貫通するように設けられた少なく
とも４つのナットと、この各ナットにそれぞれねじ込まれ、ねじ込み操作により天井方向
に対して進退される少なくとも４本の取付ネジと、前記家具本体の前記上板と前記天井と
の間に介在され、前記取付ネジのねじ込み操作により、この取付ネジを介して前記天井の
下面に当接固定される基板と、この基板が前記天井の下面に当接固定された状態において
、前記基板と前記上板との間に生じる間隙部の周囲の開口部の、少なくとも前面開口部を
遮蔽するよう、前記基板に立設した前面板とを備えているものである。
【０００６】
また請求項２記載の転倒防止装置付き家具は、請求項１記載の転倒防止装置付き家具
において、家具本体は、家具本体の左右の側板の上端をそれぞれ前記上板より上方に延出
させ、遮蔽部を設けると共に、前記基板の左右にそれぞれ側面板を立設させ、前記基板が
前記天井の下面に当接固定された状態において、前記基板と前記上板との間に生じる間隙
部の周囲の開口部の、左右の側面開口部を、前記各遮蔽部と前記各側面板とを互いに重ね
合わせ遮蔽するようにしたものである。
【０００７】
また請求項３記載の転倒防止装置付き家具は、家具本体と、この家具本体の底板に略
四角形をなすように配置され、メネジ部が前記底板を貫通するように設けられた少なくと
も４つのナットと、この各ナットにそれぞれねじ込まれ、ねじ込み操作により前記家具本
体の設置面の方向に対して進退される少なくとも４本の取付ネジと、前記家具本体の前記
底板と前記設置面との間に介在され、前記取付ネジのねじ込み操作により、この取付ネジ
を介して前記設置面に当接固定される基板と、この基板が前記設置面に当接固定された状
態において、前記基板と前記底板との間に生じる間隙部の周囲の開口部の、少なくとも前
面開口部を遮蔽するよう、前記基板に立設した前面板とを備えているものである。
【０００８】
また請求項４記載の転倒防止装置付き家具は、請求項３記載の転倒防止装置付き家具
において、家具本体は、家具本体の左右の側板の下端をそれぞれ前記底板より下方に延出
させ、遮蔽部を設けると共に、前記基板の左右にそれぞれ側面板を立設させ、前記基板が
前記設置面に当接固定された状態において、前記基板と前記底板との間に生じる間隙部の
周囲の開口部の、左右の側面開口部を、前記各遮蔽部と前記各側面板とを互いに重ね合わ
せ遮蔽するようにしたものである。
【０００９】
また請求項５記載の転倒防止装置付き家具は、家具本体と、この家具本体の上板に略
四角形をなすように配置され、メネジ部が前記上板を貫通するように設けられた少なくと
も４つのナットと、この各ナットにそれぞれねじ込まれ、ねじ込み操作により天井方向に
対して進退される少なくとも４本の取付ネジと、前記家具本体の前記上板と前記天井との
間に介在され、前記取付ネジのねじ込み操作により、この取付ネジを介して前記天井の下
面に当接固定される基板と、前記家具本体の前記上板の前面部より上方に延出して設けら
れた前面遮蔽部と、前記基板の前面に立設した前面側面板と、前記基板が前記天井の下面
に当接固定された状態において、前記基板と前記上板との間に生じる間隙部の周囲の開口
部の、少なくとも前面開口部を、前記前面遮蔽部と前記前面側面板により遮蔽するように
したものである。
【００１０】
また請求項６記載の転倒防止装置付き家具は、家具本体と、この家具本体の底板に略四角形をなすように配置され、メネジ部が前記底板を貫通するように設けられた少なくとも４つのナットと、この各ナットにそれぞれねじ込まれ、ねじ込み操作により前記家具本体の設置面の方向に対して進退される少なくとも４本の取付ネジと、前記家具本体の前記底板と前記設置面との間に介在され、前記取付ネジのねじ込み操作により、この取付ネジを介して前記設置面に当接固定される基板と、前記家具本体の前記底板の前面部より下方に延出して設けられた前面遮蔽部と、前記基板の前面に立設した前面側面板と、前記基板が前記設置面に当接固定された状態において、前記基板と前記底板との間に生じる間隙部の周囲の開口部の、少なくとも前面開口部を、前記前面遮蔽部と前記前面側面板により遮蔽するようにするものである。
【００１１】
さらに請求項７記載の転倒防止装置付き家具は、請求項１乃至請求項６記載の転倒防
止装置付き家具において、基板は、前記４本の取付ネジに対応する位置に、前記取付ネジ
の端部を受け入れるネジ受凹部を設けるようにしたものである。
【考案の効果】
【００１２】
請求項１記載の転倒防止装置付き家具によれば、家具本体と、この家具本体の上板に
設けた少なくとも４つのナットと、この各ナットにねじ込まれ、天井方向に対して進退さ
れる少なくとも４本の取付ネジと、家具本体の上板と天井との間に介在され、取付ネジを
介して天井の下面に当接固定される基板と、この基板が天井の下面に当接固定された状態
において、基板と上板との間に生じる間隙部の周囲の開口部の、少なくとも前面開口部を
遮蔽するよう、基板に立設した前面板とを設け、転倒防止装置付き家具を構成するように
したため、家具の設置面および天井下面を広範囲にわたり安定した状態で押圧保持できる
。そのため地震時の縦揺れに対しても、また前後、左右、斜め等の横揺れに対しても家具
の転倒を防止できると共に、急激な揺れに対しても転倒防止装置自体が家具と天井との間
から外れたりするのを防止でき、さらに取付ネジの押圧力が分散されるため、家具の上面
や天井下面への傷付きを防止することができる。また基板と家具の上板との間に生じる間
隙部の周囲の開口部の、少なくとも前面開口部を、基板の前面板で遮蔽したため、間隙部
への塵埃等の侵入を防止し、且つ家具の意匠効果を向上できる。さらに、この転倒防止装
置付き家具を、他の家具や設備機器の上部に載置し設置した場合には、これら転倒防止装
置を備えない他の家具や設備機器の転倒防止をも同時に行なうことができると共に、家具
自体が転倒防止の機能を備えているため、室内の限られた家具等の設置空間をより有効に
活用できる。
【００１３】
また請求項２記載の転倒防止装置付き家具によれば、家具本体の左右の側板上端に遮
蔽部を設けると共に、基板の左右に側面板を立設させ、基板と家具の上板との間の間隙部
の周囲の、左右の側面開口部を、各遮蔽部と各側面板とを互いに重ね合わせ遮蔽するよう
にしたため、家具の製作寸法に若干の誤差等が生じた場合でも、寸法誤差等を吸収でき、
確実に遮蔽できるため家具の製作が容易となる。そのため間隙部への塵埃等の侵入をより
防止し、且つ家具の意匠効果を向上できる。
【００１４】
また請求項３記載の転倒防止装置付き家具によれば、家具本体と、この家具本体の底
板に設けた少なくとも４つのナットと、この各ナットにねじ込まれ、設置面の方向に対し
て進退される少なくとも４本の取付ネジと、家具本体の底板と設置面との間に介在され、
取付ネジ介して設置面に当接固定される基板と、この基板が設置面に当接固定された状態
において、基板と底板との間に生じる間隙部の周囲の開口部の、少なくとも前面開口部を
遮蔽するよう、基板に立設した前面板とを設け、転倒防止装置付き家具を構成するように
したため、家具の設置面および天井下面を広範囲にわたり安定した状態で押圧保持できる
。そのため地震時の縦揺れ、横揺れに対しても家具の転倒を防止できると共に、転倒防止
装置自体が外れたりするのを防止でき、さらに、家具の底面や設置面への傷付きを防止す
ることができる。また間隙部の少なくとも前面開口部を前面板で遮蔽したため、間隙部へ
の塵埃等の侵入を防止し、且つ家具の意匠効果を向上できる。さらに基板を家具本体の底
板と設置面との間に介在させ、取付ネジで当接固定させるようにしたため、家具の設置の
際、天井付近の高所作業を必要としなく低所作業でできるため、設置作業性を向上できる
。さらに、この転倒防止装置付き家具を、他の家具や設備機器の上部に載置し設置した場
合には、他の家具や設備機器の転倒防止をも同時に行なうことができると共に、家具自体
が転倒防止の機能を備えているため、室内の家具等の設置空間をより有効に活用できる。
【００１５】
また請求項４記載の転倒防止装置付き家具によれば、家具本体の左右の側板下端に遮
蔽部を設けると共に、基板の左右に側面板を立設させ、基板と家具の底板との間の間隙部
の周囲の、左右の側面開口部を、各遮蔽部と各側面板とを互いに重ね合わせ遮蔽するよう
にしたため、家具の製作寸法に若干の誤差等が生じた場合でも、寸法誤差等を吸収でき、
確実に遮蔽できるため家具の製作が容易となる。そのため間隙部への塵埃等の侵入をより
防止し、且つ家具の意匠効果をより向上できる。
【００１６】
また請求項５記載の転倒防止装置付き家具によれば、家具本体と、この家具本体の上
板に設けた少なくとも４つのナットと、この各ナットにねじ込まれた少なくとも４本の取
付ネジと、家具本体の上板と天井との間に介在され、天井に当接固定される基板と、家具
本体の上板の前面部より上方に延出して設けられた前面遮蔽部と、基板の前面に立設した
前面側面板と、基板が天井に当接固定された状態において、基板と上板との間に生じる間
隙部の周囲の開口部の、少なくとも前面開口部を、前面遮蔽部と前面側面板により遮蔽す
るようにしたため、より安定した状態で家具の転倒防止を行なえると共に、設置場所によ
り間隙寸法が異なる場合や、家具の製作寸法に若干の誤差等が生じた場合でも、寸法誤差
等を吸収でき、確実に遮蔽できるため家具の製作が容易となる。また間隙部への塵埃等の
侵入をより防止でき、且つ家具の意匠効果を向上できる。
【００１７】
また請求項６記載の転倒防止装置付き家具によれば、家具本体と、この家具本体の上
板に設けた少なくとも４つのナットと、この各ナットにねじ込まれた少なくとも４本の取
付ネジと、家具本体の底板と設置面との間に介在され、設置面に当接固定される基板と、家具本体の底板の前面部より下方に延出して設けられた前面遮蔽部と、基板が設置面に当接固定された状態において、基板と底板との間に生じる間隙部の周囲の開口部の、少なくとも前面開口部を、前面遮蔽部と前面側面板により遮蔽するようにしたため、より安定した状態で家具の転倒防止を行なえると共に、設置場所により間隙寸法が異なる場合や、家具の製作寸法に若干の誤差等が生じた場合でも、寸法誤差等を吸収でき、確実に遮蔽できるため家具の製作が容易となる。また間隙部への塵埃等の侵入をより防止でき、且つ家具の意匠効果を向上できる。
【００１８】
さらに請求項７記載の転倒防止装置付き家具によれば、基板は、４本の取付ネジに対
応する位置にネジ受凹部を設けるようにしたため、家具の設置の際、基板の位置決めが容
易になると共に、基板と家具とが互いにずれるのを防止でき、転倒防止効果をより向上で
きる。
【実施例】
【００１９】
以下、本考案の転倒防止装置付き家具の一実施例について図面に従って説明する。１
は室内に設置された書棚、箪笥等の家具、設備機器等が地震などにより転倒するのを防止
する転倒防止装置付き家具である。２はこの転倒防止装置付き家具１の家具本体である。
この転倒防止装置付き家具１は底板３、左右の側板４、５、背板６および上板７とで全体
を箱状に形成し、内部に収納室８を設けてある。９は棚である。１０、１０は開口部１１
に設けた２枚の引き戸である。
【００２０】
１２、１２、１２、１２は家具本体２の上板７に略四角形をなすように配置され、メ
ネジ部が上板７を貫通するように設けられた少なくとも４つのナットである。１３、１３
、１３、１３は、このナット１２にそれぞれねじ込まれ、ねじ込み操作により天井１４方
向に対して進退される少なくとも４本の取付ネジである。また１５は家具本体２の上板７
と天井１４との間に介在され、取付ネジ１３のねじ込み操作により、この取付ネジ１３を
介して天井１４の下面１６に当接固定される基板である。この基板１５は、４本の取付ネ
ジ１３に対応する位置に、取付ネジ１３の端部２３を受け入れるネジ受凹部２４を設けて
ある。さらに、この基板１５が天井１４の下面１６に当接固定された状態において、基板
１５と上板７との間に生じる間隙部１７の周囲の開口部の、少なくとも前面開口部１８を
遮蔽するよう、基板１５に立設した前面板１９とを備えている。なお２０、２１は左右の
側面開口部で、２２は背面開口部である。
【００２１】
次いで、以上のように構成する転倒防止装置付き家具１の作用を説明する。
転倒防止装置付き家具１は、室内２５の床２６に設置した他の家具２７の上面、つまり設置面２８に載置し、設置する場合を示すものである。まず転倒防止装置付き家具１の上板７に設けた４つのナット１２に予め４本の取付ネジ１３をねじ込む。次いで家具２７の上面の設置面２８に、この転倒防止装置付き家具１の家具本体２を載置させる。そして図６のように家具本体２の上板７と天井１４との間に基板１５を介在させ、基板１５のネジ受凹部２４と取付ネジ１３の端部２３とが合致するようにして上板７に基板１５を載置する。しかる後、図７のように取付ネジ１３を矢印で示す向きにねじ込み、図８のように基板１５を天井１４の下面１６に当接固定させる。これにより転倒防止装置付き家具１は図８に示すように上方は天井１４と基板１５とが、下方は家具２７と底板３とが当接固定されることから、転倒防止装置付き家具１自体の転倒防止は勿論、他の家具２７の転倒防止をも同時に行なうことができる。なお図示しないが、この転倒防止装置付き家具１の設置場所は、強度上、基板１５と対応する天井１４部は天井の桟が位置する場所に設置する。
【００２２】
また基板１５と上板７との間に生じる間隙部１７の周囲の開口部の、少なくとも前面
開口部１８を基板１５の前面板１９で遮蔽することにより、間隙部１７への塵埃等の侵入
を防止し、且つ取付ネジ１３等が外部から見えなくなり家具の意匠効果を向上できる。な
お、この前面板１９は上板７の前面部と若干重なる程度に長めにしておけば、製作誤差、
設置寸法のバラツキに対応できる。なお、図示しないが、望ましくは、家具１の背板６を介して壁に設けられた間柱に釘等で固定するようにすれば、転倒防止効果が一層増大する。
【００２３】
なお同一部分に同一符号を付して示す図９乃至図１１は、前述の基板１５と異なる形
態を示す基板を示すものである。つまり図９、図１０は、前述の基板１５が少なくとも前
面に前面板１９を設けたものであるのに対して、前面に加えて左右側面にも側面板２９、
３０を設けるようにしたものである。これにより、間隙部１７への塵埃等の侵入をより防
止し、且つ家具の意匠効果をより向上できる。なお、これら側面板２９、３０も側板４、
５と若干重なる程度に長めにしておけば、製作誤差、設置寸法のバラツキに対応できる。
また図１１は前述の基板１５が天井１４の下面１６に、取付ネジ１３で当接固定するのに
対して、予め止めネジ３１で天井１４の下面１６にネジ止めさせ、固定をより確実なもの
にしたものである。
【００２４】
また同一部分に同一符号を付して示す図１２乃至図１４は、前述の転倒防止装置付き
家具１と異なる形態の転倒防止装置付き家具を示すものである。つまり図１２、図１３は
、家具本体２の上板７の前面部より上方に延出して前面遮蔽部３２を設けると共に、左右
の側板４、５の上端をそれぞれ上板７より上方に延出させ遮蔽部３３、３４を設けている
。また基板１５の前面に前面側面板３５を設けると共に、基板１５の左右にそれぞれ側面
板３６、３７を設けている。そして基板１５と上板７との間に生じる間隙部１７の周囲の
、前面開口部１８は前面遮蔽部３２と前面側面板３５とを重ね合わすことにより、また左
右の側面開口部２０、２１は遮蔽部３３、３４と側面板３６、３７とを重ね合わすことに
より、遮蔽するようにしている。これにより設置場所により間隙寸法が若干異なる場合や
、家具の製作寸法に若干の誤差等が生じた場合でも、寸法誤差等を吸収でき、確実に遮蔽
できるため家具の製作が容易となる。また家具の意匠効果を向上できる。
【００２５】
さらに図１４は図１２、図１３が基板１５を上板７と天井１４との間に介在させたの
に対して、基板１５を底板３と他の家具２７の上面である設置面２８との間に介在するよ
うにしたものである。つまり、基板１５が設置面２８に当接固定された状態において、基板１５と底板３との間に生じる間隙部の周囲の開口部の、少なくとも前面開口部４２を、前面遮蔽部３８と前面側面板３５により遮蔽するようにするものである。即ち、家具本体２の底板３の前面部より下方に延出して前面遮蔽部３８を設けると共に、左右の側板４、５の下端をそれぞれ底板３より下方に延出させる遮蔽部３９、４０を設けている。また基板１５の前面に前面側面板３５を設けると共に、基板１５の左右にそれぞれ側面板３６、３７を設けている。そして、これらを重ね合わすことにより、基板１５と底板３との間に生じる間隙部４１の周囲の前面開口部４２、左右の開口部４３、４４を遮蔽するようにしている。これにより、転倒防止装置付き家具１の設置の際、天井付近の高所作業を必要としなく、低所作業でできるため設置作業性を向上できる。
【００２６】
なお図示しないが、転倒防止装置付き家具１は、他の家具２７の上面の設置面２８と
天井１４との間に設置する場合を示したが、転倒防止装置付き家具１が大きな場合は、直
接、床２６と天井１４との間に設置させてもよい。また転倒防止装置付き家具１の家具本
体２を略上下対称あるいは、上下逆に設置可能なように製作し、設置場所の状況に応じて
家具本体２を上下どちらの向きにでも設置できるようにすることにより、転倒防止装置付
き家具１の基板１５を、上板７側あるいは底板３側いずれか適当なほうに選択し設置する
ようにしてもよい。あるいは、さらにナット１２を予め上板７と底板３の両方に設けてお
くことにより、家具本体２を上下逆にすることなく、基板１５の設置を、上板７側あるい
は底板３側のいずれの側でも、選択できるようにしてもよい。
【図面の簡単な説明】
【００２７】
【図１】図１は、本考案の一実施例の転倒防止装置付き家具の使用状態を示す概略的    正面図である。
【図２】図２は、図１の側面を示す概略的側面図である。
【図３】図３は、図１をＡ−Ａ線に沿って切断した概略的断面図である。
【図４】図４は、図２をＢ−Ｂ線に沿って切断した概略的断面図である。
【図５】図５は、図１の転倒防止装置付き家具を分解して示す概略的分解斜視図であ    る。
【図６】図６は、図１の転倒防止装置付き家具の設置状態を説明する要部の概略的断    面図である。
【図７】図７は、図１の転倒防止装置付き家具の設置状態を説明する要部の概略的断    面図である。
【図８】図８は、図１の転倒防止装置付き家具を設置した状態を説明する概略的断面    図である。
【図９】図９は、図１の転倒防止装置付き家具と異なる他の実施例の転倒防止装置付    き家具の概略的側面図である。
【図１０】図１０は、図９をＣ−Ｃ線に沿って切断した概略的断面図である。
【図１１】図１１は、図９の転倒防止装置付き家具と異なる、他の実施例の転倒防止    装置付き家具の設置状態を説明する、要部を切欠して一部断面で示す概略的側面図で    ある。
【図１２】図１２は、図１１の転倒防止装置付き家具と異なる、他の実施例の転倒防    止装置付き家具の使用状態を説明する、要部を切欠して一部断面で示す概略的正面図    である。
【図１３】図１３は、図１２の側面を示す、要部を切欠して一部断面で示す概略的側    面図である。
【図１４】図１４は、図１２の転倒防止装置付き家具と異なる、他の実施例の転倒防    止装置付き家具の使用状態を説明する、要部を切欠して一部断面で示す概略的側面図    である。
【符号の説明】
【００２８】
１        転倒防止装置付き家具
12        ナット
13        取付ネジ
14        天井
15        基板
17        間隙部
19        前面板
24        ネジ受凹部
32        前面遮蔽板
35        前面側面板
【図１】
0003113455.tif 000003
【図２】
0003113455.tif 000004
【図３】
0003113455.tif 000005
【図４】
0003113455.tif 000006
【図５】
0003113455.tif 000007
【図６】
0003113455.tif 000008
【図７】
0003113455.tif 000009
【図８】
0003113455.tif 000010
【図９】
0003113455.tif 000011
【図１０】
0003113455.tif 000012
【図１１】
0003113455.tif 000013
【図１２】
0003113455.tif 000014
【図１３】
0003113455.tif 000015
【図１４】
0003113455.tif 000016